(57)【要約】【課題】    本発明は、杭の支持層が傾斜する地盤においても、杭頭部における水平荷重に対する水平抵抗力が大きく、土木・建築構造物の基礎杭として広く利用できるソイルセメント合成羽根付き杭を提供する。【解決手段】    地盤中にソイルセメント柱体１を造成する。ソイルセメント柱体１内にこれより小径の羽根付き杭２を設置する。ソイルセメント柱体１は、セメント溶液などの固化材と現地掘削土を混合することにより地表から支持層３まで連続した柱状に造成する。羽根付き杭２は鋼管杭であって、当該鋼管杭の下端部と中間部に螺旋状の羽根３を、杭頭部に鋼管杭の円周方向に連続するリブ状突起４をそれぞれ形成する。リブ状突起４は、杭の上端部から杭の下端方向に杭径Ｄｐの少なくとも約４倍の範囲にわたって螺旋状に連続し、かつ所定の高さ（径）に形成する。【選択図】            図１
2006233617.tif 000002
【特許請求の範囲】
【請求項１】
地盤中に造成されたソイルセメント柱体と当該ソイルセメント柱体内に設置された既製杭とから一体に構成され、かつ前記既製杭は外周面の少なくとも下端部と中間部に羽根が設けられていると共に、外周面頭部にリブ状突起が設けられてなることを特徴とするソイルセメント合成羽根付き杭。
【請求項２】
リブ状突起は、既製杭の杭上端部から杭下端方向に少なくとも杭径Ｄｐの４倍〜１０倍の範囲に、高さ１ｍｍ〜１６ｍｍに設けられてなることを特徴とする請求項１記載のソイルセメント合成羽根付き杭。
【請求項３】
リブ状突起は、既製杭の円周方向に沿って設けられてなることを特徴とする請求項１または２記載のソイルセメント合成羽根付き杭。
【請求項４】
リブ状突起は、螺旋状またはリング状に設けられてなることを特徴とする請求項１〜３のいずれか一に記載のソイルセメント合成羽根付き杭。
【発明の詳細な説明】
【技術分野】
【０００１】
本発明は、地盤中に造成されたソイルセメント柱体内に羽根付きの既製杭が設置された構造のソイルセメント合成羽根付き杭に関し、特に土木・建築構造物の基礎杭として広く利用が期待されるものである。
【背景技術】
【０００２】
これまで、土木・建築構造物の基礎杭として、地盤中に造成されたソイルセメント柱体と外周に羽根を有する既製杭とが一体化された構造のソイルセメント合成羽根付き杭が知られている。
【０００３】
この場合の既製杭にはソイルセメント柱体との一体化を図るべく羽根付き杭が用いられ、羽根は杭の下端部と中間部、さらに杭の頭部にも設けられている(例えば、特許文献１、特許文献２等参照)。
【０００４】
また特に、杭頭部に羽根を設ける代わりに羽根付き杭の直径よりも大径の円筒状部材を杭頭部に一体に設けた構造のソイルセメント合成羽根付き杭も知られている(例えば、特許文献３参照)。
【０００５】
これらの合成杭はいずれも、既製杭の外周に羽根が設けられていることで、既製杭とソイルセメント柱体とが一体化された構造の合成杭になっており、特に杭頭部にも羽根が設けられていることで、杭頭部の水平剛性が非常に大きく、そのため杭頭部における水平荷重に対する抵抗力は大きい。
【０００６】
特に、特許文献３に記載された合成杭は、羽根付き杭の直径よりも大径の円筒状部材が杭頭部に設けられていることで、杭頭部における水平荷重に対する抵抗力は非常に大きいといえる。
【特許文献１】特開２００１−３１７０５０号公報(請求項１、段落番号００３４、図１)
【特許文献２】特開２００３−０８２６５９号公報(請求項１、請求項４、段落番号００１９、図１、図２)
【特許文献３】特開２００３−０９６７７０号公報(請求項１、段落番号００１４、図２)
【発明の開示】
【発明が解決しようとする課題】
【０００７】
しかし、例えば図４（ａ），（ｂ）に図示するような、杭の支持層２０が傾斜しているような場所に上記した構造の合成杭２１と２２を隣接して施工する場合、各合成杭の杭頭は一般に杭の施工深さを変えることで揃えることから、支持層２０の深い側の合成杭２１ついては、支持層２０を一部掘り下げるだけで杭頭を簡単に揃えることは可能であるが、支持層２０の浅い側の合成杭２２については、図４（ｂ）に図示する合成杭２２のように、支持層２０を深く掘り下げる必要がある。
【０００８】
しかし、支持層２０が非常に硬質で掘削が困難な場合には、図４（ａ）に図示する合成杭２２のように、既製杭２３の杭頭部２３ａを一部切除して杭頭を揃える必要があり、このような状況で切除される杭頭部２３ａの長さは０．５〜１ｍ程度と比較的長い。  
【０００９】
その結果として、既製杭２３の杭頭部２３ａが一部除去された側の合成杭２２は、杭頭部に羽根２３ｂが存在しない杭となるため、杭頭部に羽根２３ｂが存在することにより発揮される杭頭部における水平荷重に対する抵抗力を発揮できないことになる。
【００１０】
なお、杭頭部２３ａの羽根２３ｂが切除されない場合でも、図４（ａ）に図示する合成杭２２のように、杭頭部２３ａの羽根２３ｂがソイルセメント柱体２４よりも上に突出しているため、杭頭部における水平荷重に対する抵抗力を発揮できない。
【００１１】
このような問題は、杭頭部に羽根を有する代わりに杭径より大径の円筒状部材が設けられた合成杭の場合にもあり、しかもこの種の合成杭には、地上に突出した杭頭部を切除する際、径の大きい円筒状部を切除する必要があるため、切断に多大な労力を必要とする等の課題もあって、支持層が傾斜する地盤には適用が困難であった。
【００１２】
本発明は、以上の課題を解決するためになされたもので、杭頭部に羽根や大径の円筒状部材がなくても、杭頭部における水平荷重に対する抵抗力が大きく、特に支持層が傾斜する地盤に適用しても、杭頭部の切除が容易で、かつ杭頭部における水平荷重に対する大きな抵抗力を発揮し得る構造のソイルセメント合成羽根付き杭を提供することを目的とする。
【課題を解決するための手段】
【００１３】
請求項１記載のソイルセメント合成羽根付き杭は、地盤中に造成されたソイルセメント柱体と当該ソイルセメント柱体内に設置された既製杭とから一体に構成され、かつ前記既製杭は外周面の少なくとも下端部と中間部に羽根が設けられていると共に、外周面頭部にリブ状突起が設けられてなることを特徴とするものである。
【００１４】
この場合の既製杭としては、特に鋼管杭が切断などの加工がしやすく、しかも羽根やリブ状突起を比較的に容易に設けることができる等の理由により最も望ましいが、鋼管杭に限定されるものではなくＲＣ杭なども用いることができる。
【００１５】
また、リブ状突起は杭の外周に鉄筋などを螺旋状またはリング状に巻き付け溶接するか、あるいはリブ付き鋼管や縞鋼板を円筒形にしたものを上部に溶接して取り付ける等の方法によって簡単に設けることができる。また、リブ状突起は互いに密着させて設けられていてもよく、あるいは所定間隔おきに設けられていてもよい。
【００１６】
また、ソイルセメント柱体は、下端部や中間部の羽根にても既製杭が一体化して挙動できると一般に考えられている既製杭の羽根径の１．２倍〜２．５倍の径に設けられたものであることが特に好ましい。
【００１７】
請求項２記載のソイルセメント合成羽根付き杭は、請求項１記載のソイルセメント合成羽根付き杭において、特にリブ状突起が既製杭の杭上端部から杭下端方向に少なくとも杭径の４倍〜１０倍の範囲に、高さ１ｍｍ〜１６ｍｍに設けられていることを特徴とするものである。
【００１８】
リブ状突起を少なくとも杭径（即ち、既製杭の羽根部を除く部分の径）の４倍の長さに設けることにより、杭頭部でのソイルセメント柱体との一体性をより確実なものとすることができ、１０倍を超えた長さとしても杭頭部の一体性が更に増加することはない。
【００１９】
なお、ソイルセメント柱体内に既製杭を施工し、杭頭部を一部切除して揃える場合、杭頭部は経験的に少なくとも０.５〜１ｍ程度切除されるため、杭の上端のリブ状突起をソイルセメント柱体内に確実に残存させるためには、杭の上端部から少なくとも（杭径Ｄｐの４倍〜１０倍）＋（０．５〜１．０）ｍ程度の範囲にわたってリブ状突起が設けられた既製杭であることが望ましく、更には汎用性の点から杭の上端部から少なくとも（杭径Ｄｐの４倍〜１０倍）＋１ｍ程度の範囲にわたってリブ状突起が設けられた既製杭であることが最も望ましい。
【００２０】
従って、杭頭部を切除しない場合は、ソイルセメント柱体内における杭頭部に設けられたリブ状突起の最大長さは、杭径Ｄｐの１０倍＋１ｍ程度となる。
【００２１】
また、リブの突起高さは１ｍｍあれば、杭頭部でのソイルセメント柱体との一体性をより確実なものとすることができ、１６ｍｍを超えた長さとしても杭頭部の一体性が更に増加することはなく、１ｍｍ〜１６ｍｍとすることにより、杭頭部を切除する際の妨げにならない。
【００２２】
請求項３記載のソイルセメント合成羽根付き杭は、請求項１または２記載のソイルセメント合成羽根付き杭において、特にリブ状突起が既製杭の円周方向に沿って設けられていることを特徴とするものである。  
【００２３】
円周方向に沿って設けられておれば螺旋状であってもリング状であっても、リブ鋼板状であっても、その他の形に設けられてもよい。リブ状突起が円周方向に沿って設けられていることにより、杭頭部に曲げモーメントが作用する場合も、既製杭頭部でソイルセメント柱体とが一体化して挙動できるので特に好ましいリブ状突起である。
【００２４】
請求項４記載のソイルセメント合成羽根付き杭は、請求項１〜３のいずれか一に記載のソイルセメント合成羽根付き杭において、特にリブ状突起が螺旋状またはリング状に設けられていることを特徴とするものである。このような形状であると、鉄筋などで容易にリブ状突起を設けることができるので特にこのましい。
【００２５】
なお、リブ状突起は、互いのリブ状突起間に間隔をおいて設けた方が、リブ状突起が多数存在する部分での杭とソイルセメントとの付着強度を高くすることができるので、最も望ましい態様である。
【００２６】
この互いのリブ状突起間の間隔、即ち、互いのリブ状突起の一番高い部分における相互の間隔は、リブ状突起の高さに応じて随時変更可能であるが、杭径の４倍の範囲にリブ状突起が存在する場合でも、その範囲における杭の長さ方向におけるリブ状突起の数は、リブ状突起の高さが高い場合では少なくとも３段設けることにより、本発明の効果をより確実に達成できる。
【００２７】
勿論、リブ状突起の高さが低い場合は間隔をリブ状突起の高さに応じて短くすることにより、その範囲における杭の長さ方向におけるリブ状突起の数は、リブ状突起の高さが高い場合に比べて、段数が必然的に多くなる。
【発明の効果】
【００２８】
本発明は特に、ソイルセメント柱体内に設置された既製杭として、杭頭部の周面にリブ状突起を有する既製杭が用いられていることで、杭頭部での既製杭とソイルセメント柱体との一体化が強固なものとなるため、杭頭部に作用する水平荷重によって杭頭部のソイルセメントに輪切り状の亀裂が生じる等のおそれはない。
【００２９】
したがって、杭頭部に羽根や大径の円筒状部材が特になくても、杭頭部における水平荷重に対し、大きな抵抗力を発揮し得る。
【００３０】
また、杭の支持層が傾斜する地盤に用いられても、杭頭部の切除が容易であり、かつ杭頭部が切除されてもなお、杭頭部にリブ状突起が残るように施工することが可能なため、杭頭部における水平荷重に対する大きな抵抗力を発揮し得る。
【００３１】
もちろん、下端部の他に中間部にも羽根を有することで、ソイルセメント柱体と既製杭とが一体化された構造となるものである。なお、本発明では下端よりも含めて中間部と称する。
【００３２】
さらに、杭頭部を切除しても所期の効果を十分発揮し得るため、支持層の浅い地盤に施工する際、ソイルセメント施工機を用いて無理に支持層まで深く掘り下げてソイルセメント柱体を造成する必要がないため、施工の大幅な短縮化が図れるとともに、ソイルセメント施工機の故障を未然に防止することができる。
【発明を実施するための最良の形態】
【００３３】
図１（ａ）は、本発明のソイルセメント合成羽根付き杭を、図１（ｂ）はその芯杭として用いられる羽根付き杭（既製杭）をそれぞれ示し、図において、地盤中にソイルセメント柱体１が造成され、当該ソイルセメント柱体１内にこれより小径の羽根付き杭２が設置されている。
【００３４】
ソイルセメント柱体１は、セメント溶液などの固化材と現地掘削土を混合することにより地表から支持層３まで連続した柱状に造成されている。
【００３５】
羽根付き杭２は鋼管杭であって、当該鋼管杭の下端部と中間部に螺旋状の羽根４が、杭頭部に鋼管杭の円周方向に連続するリブ状突起５がそれぞれ形成され、特にリブ状突起５は、杭頭部の外周に鉄筋を杭の軸方向に一定範囲にわたって螺旋状に巻き付け、かつ杭頭部の外周に溶接することにより一体的に形成されている。
【００３６】
また、リブ状突起５は、杭の上端部から杭の下端方向に杭径Ｄｐの少なくとも約４倍の範囲にわたって螺旋状に連続して形成され、また所定の高さ（径）に形成されている。
【００３７】
先に述べたように、一般に、杭頭部を一部切除して揃える場合、杭頭部は経験的に少なくとも０.５ｍ〜１ｍ程度切除されるため、ソイルセメント柱体１内に杭頭部のリブ状突起５を確実に残存させるためには、杭の上端部から少なくとも杭径Ｄｐの４倍＋０．５ｍ〜１ｍ程度の範囲にわたってリブ状突起５が設けられているのが望ましく、更には汎用性の点から杭の上端部から少なくとも杭径Ｄｐの４倍＋１ｍ程度の範囲にわたってリブ状突起５が設けられているのが最も望ましい。
【００３８】
それ故、例えば、羽根付き杭２の杭径が約１１４ｍｍの鋼管杭の場合、杭の上端から杭径Ｄｐの少なくとも約４倍の範囲にわたってリブ状突起５を存在させるためには、リブ状突起５は杭の上端から杭径Ｄｐの約５０ｃｍまでの範囲にわたって形成されている必要があり、さらに杭頭部を切除することを考慮すると、杭の頭部端から少なくとも約１.５ｍの範囲にわたってリブ状突起５が形成されている必要がある。また、この例では、リブ状突起５の高さは、本発明の一般的な高さである約９ｍｍ程度に形成されている。
【００３９】
また、図１に示すように、互いのリブ状突起間の間隔、即ち、互いのリブ状突起の一番高い部分における相互の間隔は、リブ状突起の高さの２倍になるようにされている。
【００４０】
リブ状突起５がこのように形成されていることで、羽根付き杭２の特に杭頭部と周辺の固化したソイルセメント柱体１が完全に一体化されるため、地震等によって杭頭部に大きな水平力Ｈが作用したとしても、杭頭部のソイルセメント柱体１に輪切り状の亀裂などが生じることは無く、水平荷重Ｈに対して非常に大きな抵抗力を発揮することができる。
【００４１】
また、地震荷重などの水平荷重Ｈに対する杭頭部の抵抗力を考えた場合、上記したリブ状突起５は、例えば図１（ｃ）に図示するように、杭頭部に作用する水平荷重Ｈによって杭に曲げモーメントＭ１が必ず生じる範囲である杭の上端部Ｐ１から第１不動点Ｐ２の範囲まで設けられている必要があり、一般に、羽根付き杭２の杭径Ｄｐの４倍〜1０倍の範囲にリブ状突起５が設けられていることが特に望ましい。
【００４２】
すなわち、羽根付き杭２の杭径Ｄｐが約１１４ｍｍ〜３５６ｍｍの範囲では、（０.５ｍ〜３.６ｍ）＋１ｍの範囲となり、少なくともこれらの範囲にはリブ状突起５が設けられているのが好ましい。
【００４３】
また、羽根付き杭２の羽根部を除く部分の径である杭径ＤＰが約１１４ｍｍの場合では、羽根４の外径は２５０ｍｍとした。この羽根４の外径は一般的に杭径Ｄの１．５倍〜３倍内であることが知られているが、この範囲内である。
【００４４】
なお、この場合、ソイルセメント柱体１の径Ｄは、一般に羽根４の外径の１．２倍〜２．５倍の範囲で造成されるため、ソイルセメント柱体１の直径は５００ｍｍとした。
【００４５】
図２（ａ），（ｂ）は、杭の支持層３が傾斜した軟弱地盤６内に、本発明のソイルセメント合成羽根付き杭７と８が所定間隔をおいて施工された例を示したものである。
【００４６】
図示するように、支持層３が浅い位置に出現する側の合成杭７、深い位置に出現する側の合成杭８、いずれの側の合成杭においても、ソイルセメント柱体１は支持層３から地表まで連続して造成され、また支持層３内に同じ深さ造成されている。
【００４７】
また、双方の羽根付き杭２は長さが同じであることから、支持層３が浅い位置に出現する側の合成杭７においては、羽根付き杭２の杭頭部２ａがソイルセメント柱体１の上に突出した姿となる。  
【００４８】
このような場合、ソイルセメント柱体１の上端部に突出した杭頭部２ａを一部切除することにより双方の杭頭を揃えるが、羽根付き杭２の径は小径で切断が容易であり、また杭頭部２ａを一部切除しても、ソイルセメント柱体１内の杭頭部に十分な長さのリブ状突起５が残る。  したがって、このリブ状突起５と周辺の固化したソイルセメント柱体1とが一体化された構造は保たれるため、地震等により杭頭部に水平力が作用しても、杭頭部のソイルセメント柱体１に輪切り状の亀裂が生じることが無く、水平荷重Ｈに対する抵抗力を発揮することができる。
【００４９】
もちろん、実際の施工に際しては、一箇所のソイルセメント柱体１が造成された後、ソイルセメントが未だ固まらない状態で、当該ソイルセメント柱体１内に羽根付き杭２が回転させながら埋設され、その後に次のソイルセメント柱体1が造成される。
【００５０】
なお、ソイルセメント柱体１の上端部に突出した杭頭部２ａを切除し、ソイルセメント柱体１が固化した後に、各合成杭７と８の上端部には図２（ｂ）に図示するようにフーチング９がそれぞれ構築される。なお図に示すように、フーチング９，９間に地中梁１０が構築されることがある。
【００５１】
また、フーチング９と各合成杭７，８とをそれぞれ一体化させるためには、羽根付き杭２の杭頭部をソイルセメント柱体１より少し突出する姿とすることが好ましい。
【００５２】
また、実際に施工する場合、実際の地表面はソイルセメント柱体１の頭部よりも高い位置にあり、図２（ｂ）に図示するようにフーチング９を構築するためにフーチング９の底部位置まで地表部を掘削しやすくするためには、実際の地表部とソイルセメント柱体１の杭頭部との間は、ソイルセメントを設けない空掘り部とすればよい。
【００５３】
以上の説明では、支持層３が傾斜した軟弱地盤６を例に説明したが、施工すべき地盤において浅い支持層と深い支持層が混在している場合にも適用可能であることはいうまでもない。
【００５４】
次に、図３（ａ），（ｂ）に基いて、本発明のソイルセメント合成羽根付き杭と、従来のソイルセメント合成羽根付き杭との杭頭部における水平耐力のメカニズムの差異について説明する。
【００５５】
図３（ａ）に図示するように、本発明においては、杭頭部に作用する水平荷重Ｈにより杭頭部に回転モーメントＭ１が発生したとしても、杭頭部に設けられたリブ状突起５と周辺のソイルセメントとの周面摩擦抵抗によって回転モーメントＭ１に対抗する抵抗モーメントＭ２が発生するため、杭頭部のソイルセメント柱体１に輪切り状の亀裂などが生じることは無ない。したがって、杭頭部に羽根や大径の円筒状部材がなくても、杭頭部の水平荷重Ｈに対して必要な抵抗力を発揮することができる。
【００５６】
これに対し、従来例の場合、図３（ｂ）に図示するように、杭頭部にも羽根を有する場合は、杭頭部に作用する水平荷重Ｈによって羽根付き杭２の杭頭部に回転モーメントＭ１が発生しても、杭頭部に螺旋状の羽根４があることにより、回転モーメントＭ１に対抗する抵抗モーメントＭ２が発生する。そのために地震などにより頭部に生じる水平荷重Ｈが発生しても、頭部のソイルセメント柱体１に輪切り状の亀裂が生じることが無く、杭頭部に羽根や大径の円筒状部材が存在しなくても頭部の水平荷重Ｈに対して必要な抵抗モーメントＭ２を発揮することができる。しかし、杭頭部を一部切除することにより、杭頭部に羽根４が無くなると杭頭部の水平荷重に対する抵抗力を発揮できなくなってしまう。
【００５７】
これに対して、本発明のソイルセメント合成羽根付き杭の場合は、リブ状突起部５の長さを長くすることが可能であるため、羽根付き杭２の杭頭部を一部切除してもソイルセメント柱体１内にリブ状突起５を十分残存させることが可能であるため、羽根付き杭２の杭頭部を一部切除したとしても、杭頭部の水平荷重Ｈに対する抵抗力を失うことはない。
【産業上の利用可能性】
【００５８】
本発明は、杭の支持層が傾斜する地盤においても、杭頭部における水平荷重に対する水平抵抗力が大きく、土木・建築構造物の基礎杭として広く利用が期待できる。
【図面の簡単な説明】
【００５９】
【図１】（ａ）はソイルセメント合成羽根付き杭の断面図、（ｂ）は羽根付き既製杭の正面図、（ｃ）は杭頭に水平力が作用したときの応力図である。
【図２】（ａ），（ｂ）は、杭の支持層が傾斜地の地盤中に施工されたソイルセメント合成羽根付き杭を示す地盤の断面図である。
【図３】本発明のソイルセメント合成羽根付き杭、従来のソイルセメント合成羽根付き杭のそれぞれの杭頭部の水平耐力のメカニズムを示し、（ａ）は本発明のソイルセメント合成羽根付き杭が施工された地盤の断面図、（ｂ）は従来のソイルセメント合成羽根付き杭が施工された地盤の断面図である。
【図４】（ａ），（ｂ）は、杭の支持層が傾斜した地盤中に施工された従来のソイルセメント合成羽根付き杭の断面図である。
【符号の説明】
【００６０】
１  ソイルセメント柱体
２  羽根付き杭（既製杭）
３  支持層
４  羽根
５  リブ状突起
６  軟弱地盤
７  合成杭（ソイルセメント羽根付き合成杭）
８  合成杭（ソイルセメント羽根付き合成杭）
９  フーチング
１０  地中梁
【図１】
2006233617.tif 000003
【図２】
2006233617.tif 000004
【図３】
2006233617.tif 000005
【図４】
2006233617.tif 000006